(57)【要約】      （修正有）【課題】コストを抑え、繰り返し使用することができ、農薬を使用しない前提下で、効果的に植物の病虫害を防除できる、無農薬病虫害物理隔離透明高分子フィルムを提供する。【解決手段】無農薬病虫害物理隔離透明高分子フィルムは、ポリエチレン、ポリプロピレン、エチレン酢酸ビニル、ポリエステル、ポリ塩化ビニルより選択された透明のプラスチックフィルムであり、厚さが０．０３〜１．００ｍｍであって、径が１ｍｍ〜３０ｍｍの孔が設けられ、孔のフィルムにおける密度が１,０００〜２００,０００孔／ｍ2である。病虫害の侵入を効果的に防除でき、農薬を使用しない状況下でも、植物を完全に生長させることができる。この高分子フィルムは繰り返し使用でき、扱いが簡単で、コストが低い農作補助具である。【選択図】図１
0003205165.tif 000002
【実用新案登録請求の範囲】
【請求項１】
プラスチックフィルムであり、かつ厚さが０．０３〜１．００ｍｍの無農薬病虫害物理隔離透明高分子フィルムであって、前記無農薬病虫害物理隔離透明高分子フィルム上に孔径が１ｍｍ〜３０ｍｍの孔が設けられ、かつ前記孔の前記フィルムにおける密度が１,０００〜２００,０００孔／ｍ2であることを特徴とする、無農薬病虫害物理隔離透明高分子フィルム。
【請求項２】
前記プラスチックフィルムに使用するプラスチック材質がＰＥ（ｐｏｌｙｅｔｈｙｌｅｎｅ；ポリエチレン）、ＰＰ（ｐｏｌｙｐｒｏｐｙｌｅｎｅ；ポリプロピレン）、ＥＶＡ（ｅｔｈｙｌｅｎｅ  ｖｉｎｙｌ  ａｃｅｔａｔｅ：エチレン酢酸ビニル）、ＰＥＴ（ｐｏｌｙ  ｅｓｔｅｒ；ポリエステル）またはＰＶＣ（ｐｏｌｙ  ｖｉｎｙｌ  ｃｈｌｏｒｉｄｅ：ポリ塩化ビニル）から構成される群より選択されることを特徴とする、請求項１に記載の無農薬病虫害物理隔離透明高分子フィルム。
【請求項３】
前記孔の形状係が、円形、三角形、四方形、多辺形から構成される群より選択されることを特徴とする、請求項１に記載の無農薬病虫害物理隔離透明高分子フィルム。
【請求項４】
果物の虫を防除するカバー袋フィルム、植物の病虫害を防除する防護フィルム、鳥類を防除する防護網、土壌の病虫害を防除する隔離フィルムのすくなくとも１つ以上とすることができることを特徴とする、請求項１乃至３のいずれかに記載の無農薬病虫害物理隔離透明高分子フィルム。
【請求項５】
果物の虫を防除するカバー袋フィルムとするとき、孔径が１ｍｍ〜２ｍｍであり、孔の間隔が１ｍｍ〜２ｍｍであることを特徴とする、請求項４に記載の無農薬病虫害物理隔離透明高分子フィルム。
【請求項６】
植物の病虫害を防除する防護フィルムとするとき、孔径が１ｍｍ〜５ｍｍであり、孔の間隔が２ｍｍ〜５ｍｍであることを特徴とする、請求項４に記載の無農薬病虫害物理隔離透明高分子フィルム。
【請求項７】
鳥類を防除する防護網とするとき、孔径が３０ｍｍであり、孔の間隔が３０ｍｍであることを特徴とする、請求項４に記載の無農薬病虫害物理隔離透明高分子フィルム。
【請求項８】
土壌の病虫害を防除する隔離フィルムとするとき、孔径が１ｍｍ〜５ｍｍ、孔の間隔が７．５ｍｍであり、かつ前記孔の前記フィルムにおける密度が２４,０００孔／ｍ2であることを特徴とする、請求項４に記載の無農薬病虫害物理隔離透明高分子フィルム。
【考案の詳細な説明】
【技術分野】
【０００１】
本考案は無農薬病虫害物理隔離透明高分子フィルムに関し、特に、植物に対して農薬を使用しない前提下で、植物の病虫害を防除する無農薬病虫害物理隔離透明高分子フィルムに関する。
【背景技術】
【０００２】
現段階の農業の発展において、農作物の高い生産量と売上げを維持するために、往々にして農薬の散布を利用して病虫害、鳥類による侵害を防除しているが、農薬の使用には、１．農薬を散布する者の身体に有害である；２．植物に農薬が残留し、人が食用すると人体の健康に有害である；３．農薬散布は環境及び空気の汚染を引き起こす；４．農薬の使用が土壌にダメージを生じる、という欠点がある。このため、有機農業が現代の農業発展の重心となっている。
【０００３】
有機農業の発展において、生物的防除の分野にはまだ問題が存在する。中でも、たとえば、適切な調整を経た後のトウガラシ水、酢水、酸水の使用は病虫害を防除できるが、防除できる病虫害の種類には限りがあり、全面的な防除はできず、効果的に病虫害の侵入を完全防除することはできない。黒網や白網を使用した病虫害の防除は、網のコストが比較的高く、網の光透過性がよくないため、網を使用した病虫害の防除は往々にして作物の生産量低下を招き、かつこれらの網はその機械的強度が不足するため、外力（例：風力や動物）による破損が生じやすく、繰り返し使用できない。
【０００４】
さらに、温室（大型温室、換気設備を含む）を建造して病虫害及び鳥類の侵入防止を行うこともあるが、温室の建造コストと保守コストが高すぎ、一般的な小規模農家が負担できるものではないため、コストが低く、病虫害を効果的に防除できる対策を生み出す必要がある。
【考案の概要】
【考案が解決しようとする課題】
【０００５】
本考案の目的は、上述の問題に対し、効果的に病虫害を防除して目標生産量を達成し、同時にコストを抑え、繰り返し使用することができ、農薬を使用しない前提下で、効果的に植物の病虫害を防除できる、無農薬病虫害物理隔離透明高分子フィルム及びその製造方法を提供することにある。
【課題を解決するための手段】
【０００６】
上述の目的及びその他の目的を達成するため、本考案の無農薬病虫害物理隔離透明高分子フィルムは、厚さが０．０３〜２．００ｍｍのプラスチックフィルムであり、前記無農薬病虫害物理隔離透明高分子フィルム上に孔径が１ｍｍ〜３０ｍｍの孔が設けられ、かつこれら孔の前記フィルムにおける密度が１，０００〜２００，０００孔／ｍ2であることを特徴とする。そのうち、前記孔の備える孔径、かつ後述で定義される孔径は、前記孔の任意の２点間の最大直線距離を指す。同時に注意すべきは、孔径が小さすぎるとき、すべての孔径がいずれも＜１ｍｍである場合、水を透過できないだけでなく、通気性も悪くなり、温室効果が生じて植物が正常に成長できなくなり、孔径が大きすぎるとき、すべての孔径がいずれも＞３０ｍｍである場合、孔径が大きすぎて大部分の病虫害の侵入を防止できない可能性がある。
【０００７】
上述の無農薬病虫害物理隔離透明高分子フィルムにおいて、前記プラスチックフィルムに使用するプラスチック材質は、ＰＥ（ｐｏｌｙｅｔｈｙｌｅｎｅ；ポリエチレン）、ＰＰ（ｐｏｌｙｐｒｏｐｙｌｅｎｅ；ポリプロピレン）、ＥＶＡ（ｅｔｈｙｌｅｎｅ  ｖｉｎｙｌ  ａｃｅｔａｔｅ：エチレン酢酸ビニル）、ＰＥＴ（ｐｏｌｙ  ｅｓｔｅｒ；ポリエステル）またはＰＶＣ（ｐｏｌｙ  ｖｉｎｙｌ  ｃｈｌｏｒｉｄｅ：ポリ塩化ビニル）から構成される群より選択される。
【０００８】
上述の無農薬病虫害物理隔離透明高分子フィルムにおいて、前記孔の形状は、円形、三角形、四方形及び多辺形から構成される群より選択される。
【０００９】
上述の無農薬病虫害物理隔離透明高分子フィルムは、果物の虫を防除するカバー袋フィルム、植物の病虫害を防除する防護フィルム、鳥類を防除する防護網、土壌の病虫害を防除する隔離フィルムのうち少なくとも１つ以上とすることができる。
【００１０】
上述の無農薬病虫害物理隔離透明高分子フィルムは、前記フィルムによる防除の目的に基づいて前記無農薬病虫害物理隔離透明高分子フィルムの孔径及び孔の間隔を調整することができる。果物の虫を防除するカバー袋フィルムとするとき、その孔径は１ｍｍ〜２ｍｍ、孔の間隔は１ｍｍ〜２ｍｍとし、植物の病虫害を防除する防護フィルムとするとき、孔径は１ｍｍ〜５ｍｍ、孔の間隔は２ｍｍ〜５ｍｍとし、そのうち前記植物は経済的生産価値のある植物株を指し、果樹や野菜類の植物とすることができ、鳥類を防除する防護網とするとき、孔径は３０ｍｍ、孔の間隔は３０ｍｍとし、土壌の病虫害を防除する隔離フィルムとするとき、孔径は１ｍｍ〜５ｍｍ、孔の間隔は７．５ｍｍとし、かつ前記孔の前記フィルムにおける密度は２４，０００孔／ｍ2とする。
【００１１】
上述の目的及びその他目的を達するため、本考案は無農薬病虫害物理隔離透明高分子フィルムの製造方法も同時に提供する。本考案の無農薬病虫害物理隔離透明高分子フィルムの製造方法は、上述の無農薬病虫害物理隔離透明高分子フィルムの製造に用いられ、電熱ローラーを使用してプラスチックフィルムに対して熱穿孔を行う。前記無農薬病虫害物理隔離透明高分子フィルムは油圧方式でエアーパンチングを行ってもよい。
【考案の効果】
【００１２】
上述の無農薬病虫害物理隔離透明高分子フィルム及びその製造方法により提供される無農薬病虫害物理隔離透明高分子フィルムには、次のような利点がある。
【００１３】
１．無農薬栽培：前記無農薬病虫害物理隔離透明高分子フィルムは植物の成長過程において農薬を使用せずに効果的な生物的防除（病虫害、鳥類及び小型動物）を達成することができる。
【００１４】
２．通気性を具備：フィルム上に穿刺する孔の孔径の大きさ、孔数の量を調整することで病虫害を効果的に隔離し、栽培植物の温室効果による生長不良を回避することができる。
【００１５】
３．防風：前記無農薬病虫害物理隔離透明高分子フィルムのプラスチックの機械的性質を利用して、自然栽培における風の植物に対する影響を効果的に抑えることができ、植物の栽培管理に役立つ。
【００１６】
４．防水：前記無農薬病虫害物理隔離透明高分子フィルムの孔径及び孔の間隔を適切に設置することで、水の流通を提供できるほか、前記無農薬病虫害物理隔離透明高分子フィルムのプラスチックの機械的性質により、大量の雨水に晒されることによる植物の生長不良を効果的に回避できる。
【００１７】
５．防塵：前記無農薬病虫害物理隔離透明高分子フィルムの保護を利用して、成長後の植物をよりきれいに保ち、粉塵汚染を少なくすることができる。
【００１８】
６．光透過性：前記無農薬病虫害物理隔離透明高分子フィルムは光透過性の高い材質（透明材質）であるため、植物の光合成作用を阻害しない。
【００１９】
７．重量の軽さ：前記無農薬病虫害物理隔離透明高分子フィルムの重量は５０ｇ／ｍ2の軽さであるため、栽培管理に便利である。
【００２０】
８．繰り返し使用可能：前記無農薬病虫害物理隔離透明高分子フィルムは一定のプラスチックの機械的強度を備え、破損しにくく、作物を収穫した後、前記無農薬病虫害物理隔離透明高分子フィルムを繰り返し使用することができる。
【００２１】
９．低コスト：前記無農薬病虫害物理隔離透明高分子フィルムの価格は１米ドル／ｍ2ほどである。
【図面の簡単な説明】
【００２２】
【図１】本考案の無農薬病虫害物理隔離透明高分子フィルムの概略図である。
【図２】本考案で使用する電熱ローラーの概略図である。
【図３】本考案で使用する簡易温室の概略図である。
【図４ａ】本考案で土壌病虫害防除に用いる隔離フィルムの概略図である。
【図４ｂ】本考案で土壌病虫害防除に用いる隔離フィルムの概略図である。
【図５】本考案を用いた土壌病虫害隔離フィルムによる防除の概略図である。
【図６】本考案の隔離フィルムを簡易温室に組み合わせた状態の概略図である。
【図７】本考案の隔離フィルムと防護フィルムを同時に植物株に使用した状態の概略図である。
【図８】本考案の隔離フィルムと防護フィルムを同時に果樹に使用した状態の概略図である。
【考案を実施するための形態】
【００２３】
本考案の目的、特徴、効果について充分な理解を得るために、以下、具体的な実施例と添付の図面を組み合わせ、本考案について詳細に説明する。
【００２４】
本考案の無農薬病虫害物理隔離透明高分子フィルムの具体的な実施例を図１に示す。前記無農薬病虫害物理隔離透明高分子フィルム１０はフィルムの材質がＰＥ（ｐｏｌｙｅｔｈｙｌｅｎｅ；ポリエチレン）であり、前記フィルムの厚さは０．１ｍｍで、かつ孔径４ｍｍ、密度４０，０００孔／ｍ2（孔の間隔５〜１０ｍｍ）の孔１１と、孔径２ｍｍ、密度４０，０００孔／ｍ2（孔の間隔５〜１０ｍｍ）の孔１２と、孔径１ｍｍ、密度２０，０００孔／ｍ2（孔の間隔５ｍｍ）の孔１３が穿刺され、即ち全体の孔密度が１００，０００孔／ｍ2である。
【００２５】
このほか、前記無農薬病虫害物理隔離透明高分子フィルムに使用するプラスチック材質は、ＰＥ（ｐｏｌｙｅｔｈｙｌｅｎｅ；ポリエチレン）、ＰＰ（ｐｏｌｙｐｒｏｐｙｌｅｎｅ；ポリプロピレン）、ＥＶＡ（ｅｔｈｙｌｅｎｅ  ｖｉｎｙｌ  ａｃｅｔａｔｅ：エチレン酢酸ビニル）、ＰＥＴ（ｐｏｌｙ  ｅｓｔｅｒ；ポリエステル）またはＰＶＣ（ｐｏｌｙ  ｖｉｎｙｌ  ｃｈｌｏｒｉｄｅ：ポリ塩化ビニル）から構成される群より選択される。
【００２６】
前記無農薬病虫害物理隔離透明高分子フィルム上の孔の形状は、円形、三角形、四方形、多辺形から構成される群より選択され、特定形状の孔を選択した後、前記等形状に対応する釘を使用して孔の穿刺を行うことができる。
【００２７】
上述の無農薬病虫害物理隔離透明高分子フィルム１０は、図２に示すような電熱ローラー２０を使用して製造される。前記無農薬病虫害物理隔離透明高分子フィルム１０はプラスチック材質の熱可塑性を利用し、温度を調整可能な熱ローラー上に直径１ｍｍ、２ｍｍ、４ｍｍの釘２２が設置され、かつ前記釘２２の密度は１００,０００孔／ｍ2であり、前記無農薬病虫害物理隔離透明高分子フィルム１の電熱穿孔を行うとき、前記電熱ローラー２０は前記電熱ローラー２中心軸上の電熱器２１を利用して熱エネルギーを前記電熱ローラー２０円柱面上に設置された釘２２に伝達し、熱エネルギーを備えた釘２２で前記無農薬病虫害物理隔離透明高分子フィルム１０に対して熱穿刺を行い、孔を備えた無農薬病虫害物理隔離透明高分子フィルム１０が得られる。
【００２８】
前記無農薬病虫害物理隔離透明高分子フィルム１０の使用時は、図３に示すような簡易温室３０を組み合わせることができ、即ち金属（例：鉄、アルミニウム、亜鉛またはその合金等）または木材（竹）から成るフレーム３１と、前記フレーム３１の外囲に設置した前記無農薬病虫害物理隔離透明高分子フィルム１を組み合わせて前記簡易温室３０を完成し、植物の栽培に使用することができる。
【実施例】
【００２９】
〔実施例１〕
図３に示す簡易温室３０を使用した田畑での植物栽培試験を行った。そのうち、前記簡易温室３０に使用した無農薬病虫害物理隔離透明高分子フィルム１は材質がＰＥ（ｐｏｌｙｅｔｈｙｌｅｎｅ；ポリエチレン）であり、前記フィルムの厚さは０．１ｍｍで、孔径４ｍｍ密度４０,０００／ｍ2（孔の間隔５ｍｍ）、孔径２ｍｍ密度４０,０００／ｍ2（孔の間隔５ｍｍ）、孔径１ｍｍ密度２０,０００／ｍ2（孔の間隔５ｍｍ）の孔が穿刺されている。植え付けられた植物は青菜（小白菜）で、前記青菜の栽培は一般的な田畑での栽培方式で行われ、種から栽培を開始して株となり、収穫できるまで約３０〜４０日間かかるものである。これを対照群と実験群に区分し、そのうち、前記対照群は農薬を使用せず、かつ簡易温室で生物的防除を行わない群であり、実験群は農薬を使用しないが、前記簡易温室３で生物的防除を行う群である。
【００３０】
実験の結果、対照群は農薬と簡易温室を使用していないため、栽培期間に対照群として植えられたすべての青菜が幼苗期から収穫前までにすでに青虫に食用され、結果得られたのは０ｇであった。実験群中の青菜は農薬を使用していないが、簡易温室により青虫の侵入が隔離され、平均１株重量は９２ｇ／株（生長日数３４日）となり、かつ平均株高は２７ｃｍであった。一般的に市場で農薬を使用して栽培される青菜の平均１株重量は８２ｇ／株である。本考案で使用した簡易温室によって得られた結果は農薬を使用して栽培された青菜よりも高い生産量となった。
【００３１】
その原因を分析すると、簡易温室を使用して生物的防除を行うとき、前記簡易温室に使用される生物的防除高分子フィルムが病虫害を隔離すると同時に、前記簡易温室が半封鎖空間（孔を備えている）となるため、前記簡易温室内の平均湿度が簡易温室のない栽培環境よりも高い相対湿度（平均湿度が５％高い）となり、同時に、簡易温室の温度もより高くなる（平均温度が約０．５〜２℃高い）ことで、簡易温室中のより高い相対湿度（＞５％）とより高い温度（＞０．５〜２℃）が、栽培される青菜が許容できる生長条件にあり、かつこの条件が青菜の成長により有利であるため、本実験群の青菜は一般的な農薬栽培による青菜よりも生産量が１２％（＝（９２−８２）／８２＊％）高くなった可能性がある。
【００３２】
同時に、本実験の実験群で得られた青菜の農薬定量分析が行われた。前記農薬定量分析は、ＡＯＡＣ  ｏｆｆｉｃｉａｌ  Ｍｅｔｈｏｄ  ２００７．０１、及び衛生福利部２０１３年１２月２３日公布の提案方法−食物中残留農薬検査方法−多重残留分析方法（五）を参考として、液体クロマトグラフィー質量分析法（ＬＣ／ＭＳ／ＭＳ）及びガスクロマトグラフ質量分析計（ＧＣ／ＭＳ／ＭＳ）で測定された。本実験で得られた青菜の測定結果は次のとおりである。測定した３９８項目の農薬（２，４Ｄ、２，４，５−Ｔ、３−ｋｅｔｏ代謝物カルボフラン、３−ＯＨ代謝物カルボフラン等の計３９８項目の農薬を含む）はいずれも検出されず、即ち、本実験群で植えられた青菜は収穫後の検査で農薬の残留がないことを説明しており、栽培期間に農薬が散布されていないだけでなく、その他の農地で散布される農薬の汚染を受けにくいことを証明しているため、本考案の無農薬病虫害物理隔離透明高分子フィルムは有効な無農薬病虫害物理隔離方法である。
【００３３】
〔実施例２〕
同様に図３に示す簡易温室３０を使用して田畑での植物栽培試験を行った。栽培試験を行うときに、前記簡易温室３０の土壌表面に土壌病虫害を防除する隔離フィルムを設置した。そのうち、前記隔離フィルムも材質がＰＥ（ｐｏｌｙｅｔｈｙｌｅｎｅ；ポリエチレン）であり、前記隔離フィルムの厚さは０．１ｍｍで、孔径１ｍｍ、２ｍｍ、３ｍｍ、５ｍｍ等の孔が穿刺されており、孔の間隔は７．５ｍｍで、孔の密度は２４,０００／ｍ2とした。前記隔離フィルムは図４と図４ｂに示すとおりである。そのうち、図４ａの隔離フィルム４０は孔４１の孔径が１ｍｍ、孔４２の孔径が２ｍｍ、孔４３の孔径が３ｍｍ、孔４４の孔径が５ｍｍであり、図４ｂの隔離フィルム４０’は孔４１の孔径が１ｍｍ、孔４２の孔径が２ｍｍ、孔４３の孔径が３ｍｍである。
【００３４】
前記隔離フィルムの使用は、図５に示すように（半分に隔離フィルムを設置した状態を示す）、田畑での栽培向けに整えた農地に畝５（土面を栽培に適した形状にする）を作り、かつ畝と畝の間に溝５１を形成し、灌漑排水に用いる。前記畝５の表面に隔離フィルム４０を設置して土壌病虫害の侵入を防除する。かつ隔離フィルムを使用するときは、さらに図６に示すように簡易温室を組み合わせることができ、形成した畝５の上に隔離フィルム４０を設置し、かつ畝と畝の間に灌漑排水に用いる溝５１を形成し、設置した隔離フィルム４０の上に目標作物５２を植え、さらに前記畝５上に簡易温室３０を設置することで、隔離フィルム５１に簡易温室３０を組み合わせてより完全な植物病虫害の防除を行うことができる。
【００３５】
隔離フィルム４０に簡易温室３０を組み合わせて植えた植物は同様に青菜であり、前記青菜の栽培も一般的な田畑での栽培方式で行われ、種から栽培を開始して株となり、収穫できるまで約３０〜４０日間かかる。簡易温室３０にさらに土壌の病虫害を防除する隔離フィルム４０を組み合わせて設置するとき、青菜の成長後に観察すると、土壌の病虫害を防除する隔離フィルム４０を使用して得られた青菜の病虫害防除効果がより高く、その原因は隔離フィルム４０を使用して土壌病虫害を防除するとき、前記隔離フィルム４０が土壌からの病虫害を効果的に抑制し、無農薬病虫害物理隔離透明高分子フィルムの簡易温室３０のみを使用したときよりも効果的に病虫害の侵入を抑えることができるためである。
【００３６】
上述の実験結果から分かるように、本考案の提供する無農薬病虫害物理隔離透明高分子フィルムを使用すると、病虫害の侵入を効果的に防除でき、かつ農薬を使用しない状況下でも、植物を病虫害の侵入がない状態で完全に生長させることができ、簡単かつ便利に農薬を使用しない栽培が可能である。同時に、本考案で使用する無農薬病虫害物理隔離透明高分子フィルムは繰り返し使用でき、扱いが簡単で、コストが低い農作補助具である。
【００３７】
このほか、隔離フィルムに防護フィルムを組み合わせた実施例として、図７と図８を参照できる。図７は、植物株７を植えた地面に隔離フィルム４０を設置して土壌からの病虫害を防除し、植物株７の外囲に無農薬病虫害物理隔離透明高分子フィルム１０を利用して、簡単に防護カバー７１を形成し、病虫害の侵入を防除することができる。同様に、図８は果樹８（大型植物株）であるが、前記果樹８を植えた地面に隔離フィルム４０を設置して土壌からの病虫害を防除し、無農薬病虫害物理隔離透明高分子フィルム１０を利用して果樹８の外囲を直接被覆してから、ロープ８１を利用して前記無農薬病虫害物理隔離透明高分子フィルム１０を固定し、防護カバー７１’を形成して病虫害の侵入を防除することができる。
【００３８】
このように、本考案の提供する無農薬病虫害物理隔離透明高分子フィルムは、栽培する植物及びその防除したい病虫害または動物に基づいて、前記無農薬病虫害物理隔離透明高分子フィルムの孔径及び孔の間隔を調整でき、同時に、必要に応じて異なる用途に組み合わせて使用できるが、以下に列挙するものは例示のみであり、本考案の範囲を限定するものではない。例えば、果物の虫を防除するカバー袋フィルムとするとき、その孔径は１ｍｍ〜２ｍｍ、孔の間隔は１ｍｍ〜２ｍｍとする；植物の病虫害を防除する防護フィルムとするとき、孔径は１ｍｍ〜５ｍｍ、孔の間隔は２ｍｍ〜５ｍｍとする；鳥類を防除する防護網とするとき、孔径は３０ｍｍ，孔の間隔は３０ｍｍとする；土壌の病虫害を防除する隔離フィルムとするとき、孔径は１ｍｍ〜５ｍｍ、孔の間隔は７．５ｍｍとし、かつ前記孔の前記フィルムにおける密度は２４,０００孔／ｍ2とする。
【符号の説明】
【００３９】
１０  無農薬病虫害物理隔離透明高分子フィルム
１１  孔
１２  孔
１３  孔
２０  電熱ローラー
２１  電熱器
２２  釘
３０  簡易温室
３１  フレーム
４０,４０' 隔離フィルム
４１  孔
４２  孔
４３  孔
４４  孔
５  畝
５１  溝
５２  目標作物
７  植物株
７１,７１' 防護カバー
８  果樹
８１  ロープ
【図１】
0003205165.tif 000003
【図２】
0003205165.tif 000004
【図３】
0003205165.tif 000005
【図４ａ】
0003205165.tif 000006
【図４ｂ】
0003205165.tif 000007
【図５】
0003205165.tif 000008
【図６】
0003205165.tif 000009
【図７】
0003205165.tif 000010
【図８】
0003205165.tif 000011